(57)【要約】【課題】ミスト回収時の消費エネルギーを低減すると共に、効率的にナノミストを回収することができる、コンパクトな脱臭装置を提供する。【解決手段】本発明による脱臭装置１は、臭気ガスを装置内へ導入する臭気ガス導入部２と、水を霧化してナノミストを生成する霧化部３と、霧化部３で生成されたナノミストを脱臭対象の臭気ガスと接触させる接触部４と、少なくとも１つのフィルタ１４を備え、該フィルタ１４により接触部４を経たナノミストを回収するナノミスト回収部５と、フィルタ１４を経たガスを排気する排気管６と、を備える。【選択図】図１
2014188512.tif 000002
【特許請求の範囲】
【請求項１】
臭気ガスを装置内へ導入する臭気ガス導入部と、
水を霧化してナノミストを生成する霧化部と、
前記霧化部で生成されたナノミストを脱臭対象の臭気ガスと接触させる接触部と、
少なくとも１つのフィルタを備え、該フィルタにより前記接触部を経たナノミストを回収するナノミスト回収部と、
前記フィルタを経たガスを排気する排気管と、
を備えることを特徴とする、脱臭装置。
【請求項２】
前記フィルタは、疎水性であることを特徴とする、請求項１に記載の脱臭装置。
【請求項３】
前記フィルタは、マイクロポーラス構造を有することを特徴とする、請求項１又は２に記載の脱臭装置。
【請求項４】
前記フィルタは、粒径が５００ｎｍ以上の粒子を捕集可能なフィルタであることを特徴とする、請求項１〜３の何れか一項に記載の脱臭装置。
【請求項５】
前記排気管は、該排気管内のガスを前記フィルタ方向に逆流させる駆動機構を備えることを特徴とする、請求項１〜４の何れか一項に記載の脱臭装置。
【請求項６】
前記脱臭装置は、前記フィルタに対して振動を与える振動機構を更に備えることを特徴とする、請求項２に記載の脱臭装置。
【発明の詳細な説明】
【技術分野】
【０００１】
本発明は、脱臭装置、特にナノミストを用いた脱臭装置に関するものである。
【背景技術】
【０００２】
下水処理施設や、工場の排水処理施設、ゴミ処理場や産業廃棄物処理施設等では、硫化水素、メチルメルカプタン、硫化メチル、及び二硫化メチルを含む硫黄化合物や、アンモニアやトリメチルアミンを含む窒素化合物のような、臭気成分（悪臭物質）が発生する。これらの臭気成分が施設の近隣に漏れ出ると、臭気公害の原因となる。
【０００３】
そこで、各施設は臭気成分を排気ガスから除去するために、種々の対策を講じている。そのような対策には、例えば、活性炭吸着法、生物脱臭法、及び薬液洗浄法による脱臭処理がある。しかしながら、これらの方法による脱臭処理は、ランニングコスト面とメンテナンス面で改善の余地があった。
【０００４】
近年、ガス中の臭気成分をミストに吸着させて脱臭する技術が提案されてきた（例えば、特許文献１参照）。特許文献１に記載の脱臭装置は、界面活性剤を含む水をミストに霧化して臭気成分を吸着させ、静電気、冷却及びサイクロンを用いてミストを回収することによって脱臭する。このような脱臭装置によれば、臭気ガスに含まれる臭気成分を効率よく速やかにミストに吸収して脱臭することができる。
【０００５】
また、ガス中に含まれるミスト成分を回収するためにスクラバーを用いた空気浄化システムも提案されてきた（例えば、特許文献２参照）。特許文献２に記載の空気浄化システムによれば、スクラバーを用いて不要なミスト成分を除去することができる。
【先行技術文献】
【特許文献】
【０００６】
【特許文献１】特開２０１０−２３４３３５号公報
【特許文献２】特開２００５−２０５０９４号公報
【発明の概要】
【発明が解決しようとする課題】
【０００７】
ここで、特許文献１に記載のような、静電気を用いたミストの回収方法では、ミストの回収に電力が必要であり、ミスト回収における消費エネルギーの点で改善の余地があった。
また、冷却によりミストを回収するには、装置規模が大きい上に、回収に時間を要し、回収効率にも改善の余地があった。さらに、特許文献２に記載のような、スクラバーを用いるシステムは規模が大きく、小型化の余地があった。
【０００８】
したがって、かかる事情に鑑みてなされた本発明の目的は、ミスト回収時の消費エネルギーを低減すると共に、効率的にナノミストを回収することができる、コンパクトな脱臭装置を提供することにある。
【課題を解決するための手段】
【０００９】
本発明者らは、上記目的を達成するために、鋭意検討を行い、ナノミストを用いて臭気成分を吸着し、臭気成分を吸着したナノミストを回収することで脱臭効果を奏するための装置構成において、フィルタを利用してナノミストを回収し得ることに着目し、本発明を完成させた。
【００１０】
即ち、この発明は、上記課題を有利に解決することを目的とするものであり、本発明の脱臭装置は、臭気ガスを装置内へ導入する臭気ガス導入部と、水を霧化してナノミストを生成する霧化部と、前記霧化部で生成されたナノミストを脱臭対象の臭気ガスと接触させる接触部と、少なくとも１つのフィルタを備え、該フィルタにより前記接触部を経たナノミストを回収するナノミスト回収部と、前記フィルタを経たガスを排気する排気管と、を備えることを特徴とするものである。このように、臭気成分を吸着したナノミストを、フィルタを用いて回収することで、ミスト回収時の消費エネルギーを低減すると共に、コンパクトな装置構成で、効率的にナノミストを回収することができる。
【００１１】
また、本発明に係る脱臭装置においては、前記フィルタは、疎水性であることが好ましい。このように疎水性のフィルタを用いてナノミストを回収することで、フィルタの目詰まりを低減することができる。なお、ここでいう「疎水性」とは、フィルタを構成する素材自体が疎水性の素材であるか、又はフィルタ素材に対して疎水処理が施されることにより、フィルタ素材表面が疎水性となっていることを意味する。
【００１２】
また、本発明に係る脱臭装置においては、前記フィルタは、マイクロポーラス構造を有することが好ましい。このように、マイクロポーラス構造を有するフィルタによりナノミストを回収することで、脱臭効果を一層向上させることができる。
【００１３】
また、本発明に係る脱臭装置においては、前記フィルタは、粒径が５００ｎｍ以上の粒子を捕集可能なフィルタであることが好ましい。このようなフィルタを用いてナノミストを回収することで、フィルタの目詰まりを低減すると共に脱臭効果を確保することができる。
【００１４】
また、本発明に係る脱臭装置においては、前記排気管は、該排気管内のガスを前記フィルタ方向に逆流させる駆動機構を備えることが好ましい。このように、脱臭装置がフィルタを経たガスをフィルタ方向に逆流させる駆動機構を有することにより、フィルタに生じる目詰まりを逆洗により解消することができる。
【００１５】
また、本発明に係る脱臭装置においては、前記脱臭装置は、前記フィルタに対して振動を与える振動機構を更に備えることが好ましい。このように、フィルタが振動可能に構成されることにより、疎水性のフィルタの表面に付着した水滴を、振動によりフィルタから脱落させることができる。
【発明の効果】
【００１６】
本発明の脱臭装置によれば、ミスト回収時の消費エネルギーを低減すると共に、コンパクトな装置構成で、効率的にナノミストを回収することができる。
【図面の簡単な説明】
【００１７】
【図１】本発明に従う代表的な脱臭装置の概略構成を示す説明図である。
【発明を実施するための形態】
【００１８】
以下、本発明による脱臭装置の実施形態について、図面を参照して詳細に説明する。
ここで、本発明の脱臭装置は、特に制限されることなく、あらゆる臭気発生源、例えば、下水処理場、ゴミ処理場、石油精製プラント、及び飲食店等で生じる臭気ガスに含まれる臭気成分をナノミストに吸着し、かかるナノミストをフィルタで回収して、臭気ガスから悪臭成分を除去するものである。
【００１９】
＜脱臭装置＞
図１は、本発明に従う代表的な脱臭装置の概略構成を示す。
脱臭装置１は、臭気ガス導入部２と、霧化部３と、接触部４と、ナノミスト回収部５と、排気管６とを備える。脱臭装置１は臭気ガス導入部２から装置内へ導入された臭気ガスを、接触部４において霧化部３により生成されたナノミストと接触させてナノミストに臭気成分を吸着させて、ナノミスト回収部５において臭気成分を吸着したナノミストを回収して、排気管６を介して脱臭空気を排気する。
【００２０】
ここで、臭気ガス導入部２は、臭気ガスを装置内へ導入する。上述の通り、臭気ガスの発生源は特に限定されない。ただし、臭気ガスに粉塵が含まれる場合には、臭気ガス導入部２又はその前段に粉塵を除去するための構成を備えても良い。後述するフィルタ１４が粉塵により容易に目詰まりすることを予防するためである。粉塵を除去するための構成とは、例えばダストフィルタである。さらに、臭気ガス導入部２は、臭気ガスを装置内に供給するための原臭ブロワー（Ｂ）７を備える。
【００２１】
霧化部３は、静電霧化又は超音波霧化により水を霧化してナノミストを生成する。本例では、霧化部３は静電霧化を実施することとして説明する。この場合、霧化部３は、プラス電極８及びマイナス電極９を備え、第１霧化用液供給ポンプ（Ｐ）１０により第１霧化用水供給管２０を介して霧化液貯留槽１１に送出され、霧化液貯留槽１１から第２霧化用液供給ポンプ１２により第２霧化用水供給管２１を介して霧化用水供給部２２に送りこまれた霧化用水である水を静電霧化する。霧化部３は、プラス電極８及びマイナス電極９の間に高電圧を印加して放電させるための、図１に示さない電源を備える。霧化部３は、プラス電極８側から供給される霧化用水にレイリー分裂を生じさせて霧化させることでナノオーダーのミスト（ナノミスト）を生成する。なお、本明細書において、ナノオーダーとは１μｍ未満、特に、１００ｎｍ以下の粒子径をいう。一般に、静電霧化により生成されるナノミストの粒子径は、好ましくは１０ｎｍ以上、より好ましくは２０ｎｍ以上、好ましくは３０ｎｍ以下である。また、超音波霧化により生成されるナノミストの粒子径は１００ｎｍ以下であり、且つ１００ｎｍ付近の粒子径のミストが超音波霧化により生成されるナノミストの大部分を占める。なお、霧化部３が超音波霧化を実施する場合には、霧化部３はプラス電極８及びマイナス電極９を備えず、超音波振動子を霧化用水の入った水槽（図示しない）内に配置して構成される。このとき、超音波振動子面から水面までの距離を３０ｍｍ〜４０ｍｍとすることで、良好な霧化効率を達成することができる。ナノミストは、表面張力により臭気成分を吸着させる作用がある。さらに、ナノミストはラジカル（ＯＨ−）のような活性種により臭気成分を酸化分解することができると推定される。
【００２２】
なお、霧化部３により霧化する水としては、特に限定は無いが、中性水が好ましい。本明細書において、「中性」とは、２０℃でのｐＨがｐＨ５．８以上ｐＨ８．６以下の水を指す。好ましくは、霧化用水はｐＨ６．５以上ｐＨ８．６以下である。仮に、酸性又はアルカリ性の水を使用した場合、排水前に回収水のｐＨを中性に戻す必要があり、このときにｐＨの変動により悪臭成分の溶解度が変更され、回収水中に溶解していた悪臭成分が放出されてしまう虞がある。また、霧化用水が中性水であれば、フィルタ１４をろ布により構成した場合に、フィルタ１４の劣化を抑えることができる。
【００２３】
接触部４は、霧化部３により生成されたナノミストと、外部、例えば脱臭装置１の外部から導入した脱臭対象の臭気ガス（原臭）とを接触させる。霧化部３から供給されるナノミストと、臭気ガス導入部２から供給される臭気ガスとは、前述の原臭ブロワー７により生成される空気の流れに従って、接触部４内を移動する。この移動時間が、ナノミストと臭気ガスとの接触時間となる。接触部４において臭気成分を吸着したナノミスト同士が接触してより粒径の大きなミストを生成し、または、臭気成分を吸着したナノミストが接触部４の壁部に付着して霧化液貯留槽１１に流入することもある。よって、霧化液貯留槽１１には、臭気成分が若干混入する可能性があるが、このような臭気成分は非常に微量であるため、霧化部３において霧化されても、本発明による脱臭装置の脱臭効果には影響はない。
【００２４】
ナノミスト回収部５は、少なくとも１つのフィルタ１４を備える。さらに、ナノミスト回収部５は、回収水貯留槽１５を備え、ナノミストを回収する。具体的には、ナノミスト回収部５は、フィルタ１４の表面に付着して水滴となりフィルタ１４から脱落したナノミストや、ナノミスト回収部５の壁面に付着して水滴となり脱落したナノミストを回収水貯留槽１５にて回収する。さらに、ナノミスト回収部５では、フィルタ１４の表面やナノミスト回収部５の壁面に付着したナノミストに対して、臭気ガス中の臭気成分が吸着される。当然、ナノミストは、ナノミスト回収部５内を移動する間も、臭気ガス中の臭気成分を吸着することができる。したがって、接触部４におけるナノミストと臭気ガスとの接触時間に加えて、ナノミスト回収部５においても、ナノミストは臭気ガス中の臭気成分を吸着し、脱臭効果を奏することができる。
【００２５】
ここで、フィルタ１４は、疎水性であることが好ましい。ここでいう「疎水性」とは、フィルタ１４が疎水性の素材で構成されているか、又は、フィルタ１４に対して、疎水性を付与することが可能なコーティングが施されることにより、フィルタ１４の表面が疎水性となっていることを意味する。さらに、フィルタ１４は、疎水性のろ布により構成されることが好ましい。この場合、ろ布の素材は、例えば、ＰＴＦＥ（ポリテトラフルオロエチレン）を含むフッ化炭素ポリマー系素材、ポリエステルを含むポリエステル系素材、アクリルを含むアクリル系素材、及びポリ塩化ビニルを含む塩化ビニル系素材であり、例えば、フッ素樹脂及びシリコン樹脂のような疎水性の樹脂を用いて、コーティングされることによって疎水性が付与される。なお、フィルタ１４は、上述のような疎水性の樹脂による疎水性コーティングが施されたセラミックフィルタにより構成されても良い。
【００２６】
疎水性のフィルタ１４を用いれば、悪臭成分の吸着効率を向上させることができる。そのメカニズムは以下の通りに推察される。疎水性のフィルタ１４の表面にナノミストが継続的に付着すると、ナノミストを構成する水の表面張力により水滴が生じて、自重で落下する。このような、フィルタ１４に付着したナノミストが水滴となって落下するまでの間、フィルタ１４上に水が付着した状態となっている。フィルタ１４上の水は、更にナノミストを付着させるだけでなく、臭気成分も付着させることができる。このようにして、ナノミスト回収部５は、接触部４内でナノミストに吸着されなかった臭気成分も回収することができる。さらに、フィルタ１４の表面に付着したナノミストは、フィルタ１４の孔に入り込み、孔中で水滴状に点在し、その水滴が更に他のナノミストを吸着させることにより大きくなり、フィルタ１４の孔が水滴により一部塞がれたような状態となる。これにより、臭気成分がフィルタ１４上の水に接触することができる面積がより大きくなり、ナノミスト回収部５内における悪臭成分の吸着効率を一層向上させることができる。ここで、フィルタ１４の孔中の水は、フィルタ１４が疎水性であれば、表面張力により球形となっている。したがって、フィルタ１４の孔中の水は一定以上の重さに成長すれば、自重で落下するので、フィルタ１４に目詰まりが生じにくくなる。これにより、フィルタ１４は、差圧を低く維持できるため、脱臭対象の臭気ガスを脱臭装置１内で移動させるための推進力が低くても脱臭処理が可能となる。これにより、脱臭装置１は、原臭ブロワー７において必要とされるエネルギーを低減することができる。
【００２７】
疎水性のフィルタ１４は、さらに、フィルタ１４に対して振動を与える機械式の振動機構（図示しない）を備えることが好ましい。振動機構によりフィルタ１４を振動させることで、疎水性のフィルタ１４の表面に付着した水滴を脱落させることができる。これにより、簡易な装置構成で、脱臭装置１の脱臭効率を向上させることができる。
【００２８】
さらに、フィルタ１４は、マイクロポーラス構造を有することが好ましい。脱臭効果を一層向上させることができるからである。ここで、マイクロポーラス構造とは、微小な孔が折り重なって構成される構造であり、かかる構造を有することで、フィルタ１４は、ガスを通過させやすく、ナノミストを通過させにくくなる。このような、マイクロポーラス構造を有するフィルタには、例えば、粒径が５００ｎｍ以上の粒子を捕集可能なフィルタがある。粒径が５００ｎｍ以上の粒子を捕集可能なフィルタとは、ＪＩＳＺ ８９０１の試験粉体を用いて、ろ過速度を３ｍ／分として時間制御（２７０秒）にてパルスを１回作動して１サイクルとし、これを１００サイクル繰り返す試験を実施し、レーザー走査粒径分布分析装置（例えば、堀場製作所製ＬＡ−９５０）を用いて測定した粒径分布によって、粒径が５００ｎｍ以上の粒子を捕集することが確認されたフィルタを意味する。フィルタ１４として、マイクロポーラス構造を有する粒径が５００ｎｍ以上の粒子を捕集可能なフィルタを使用することで、フィルタの目詰まりを低減すると共に脱臭効果を確保することができる。粒径が５００ｎｍ以上の粒子を捕集可能なフィルタとしては、例えば、ＢＷＦ社（ドイツ）製のフィルタneedlonaPTFE/PTFE704MPS CS18（通気度：１０±３ｃｍ3／ｃｍ2・ｓ）がある。
【００２９】
また、マイクロポーラス構造を有するフィルタは、通気度の値が所定範囲内である、フィルタであり得る。ここで、通気度の低いろ布は、ろ布を構成する繊維が密に絡み合っており、ろ布の表面に水滴が付着した場合に、毛細管現象によりろ布内部まで水が入り込みやすいことが推定される。よって、通気度の低いろ布をフィルタ１４に採用した場合には、フィルタ１４に目詰まりが生じ易くなる。
【００３０】
フィルタ１４がろ布により構成される場合、フィルタ１４は、例えば、一端面側が閉じている袋状の布フィルタであって、内部に配置された支柱により円柱状に支持されている。支柱により内側から布フィルタを支持することで、フィルタの差圧が上がった場合であっても、フィルタの形状を保持することができる。フィルタ１４がセラミックフィルタにより構成される場合にも、フィルタ１４の形状は円柱状でありうる。フィルタ１４の形状を円柱状とすることで、ナノミストと接触可能なフィルタ表面積を大きくし、脱臭効率を向上させることができる。
【００３１】
このように、脱臭装置１は、フィルタ１４を用いて悪臭成分を吸着したナノミストを回収するため、ミストの回収に電力等のエネルギーが不要であり、臭気ガスの脱臭に必要なエネルギーを低減することができる。さらに、脱臭装置１は、サイクロンやスクラバーのような規模の大きい構成を必要としないため、小型化が可能である。さらに、脱臭装置１は、ナノミストの回収時にナノミスト回収用の水（回収水）を使用することもないため、水の使用量を低減すると共に、回収水の供給のための配管やポンプの動力が不要であり、装置構成を簡略化すると共に、装置のランニングコストを低減することができる。
【００３２】
排気管６はフィルタ１４を経たガスを脱臭装置１の外部へ放出する。好ましくは、排気管６は逆流ブロワー１３を有する。逆流ブロワー１３は、排気管６内のガスをフィルタ１４に向かって逆流させる駆動機構を構成する。更に詳細には、逆流ブロワー１３は、排気管６内における空気の流れる方向について、脱臭装置１の外部へ出て行く方向を順方向とした場合に、逆方向の空気の流れを作り出す機能を有する。排気管６内を逆流した空気流は、フィルタ１４に至り、フィルタに目詰まりしている水をナノミスト回収部５に向けて染み出させる。これにより、フィルタ１４の目詰まりを解消することができる。
【００３３】
好ましくは、脱臭装置１は、回収水貯留槽１５に隣接して、排水管１７に近い側に、排水を無害化するための構成を有する。排水を無害化するための構成とは、例えば、回収水中の悪臭成分を酸化分解するための構成であり、具体的にはオゾン分解装置を有するオゾン分解槽１６である。好ましくは、オゾン分解槽１６は、回収水貯留槽１５より小さい。オゾン分解槽１６を小さくすることで、悪臭成分の酸化分解に使用するオゾンの量を少なくし、オゾン臭の発生を回避することができるからである。
排水管１７は、排水ポンプ１８を備え、オゾン分解槽１６において無害化された排水を排出する。
【００３４】
好ましくは、脱臭装置１は臭気センサ１９を備える。臭気センサ１９は、排気管６から排気される脱臭空気の臭気強度と、臭気ガス導入部２から導入される臭気ガスの臭気強度とを検出する。
以下、脱臭装置１における脱臭処理のための一連の動作は各構成部の説明と共に上述したとおりである。以下、脱臭装置１における、他の動作の一例について説明する。
【００３５】
＜脱臭装置の動作＞
［逆流ブロワー１３の駆動による逆洗］
脱臭装置１は、図示しない制御部により逆流ブロワー１３の駆動を制御する。制御部は、フィルタ１４の差圧を測定可能に脱臭装置１に取り付けられた差圧計（図示しない）により、所定値以上の差圧（例えば、４ｋＰａ以上）が検出された場合に、逆流ブロワー１３を駆動して、排気管６内のガスをフィルタ１４に向かって逆流させる。或いは、制御部は、所定の時間間隔で逆流ブロワー１３を駆動することもできる。さらに、制御部は、臭気センサ１９により測定された排気管６から排気される脱臭空気の臭気強度の値が所定値以上となった場合に、逆流ブロワー１３を駆動することもできる。逆流ブロワー１３を駆動するにあたり、制御部は、逆流ブロワー１３をパルス駆動して、短時間に高圧力のガスをフィルタ１４に向けて逆流させる。これにより、脱臭装置１は、フィルタ１４の目詰まりを適時解消し、良好な脱臭効率を維持することができる。
【００３６】
［振動機構の駆動によるフィルタ１４の振動］
脱臭装置１は、制御部により振動機構の駆動を制御する。制御部は、上述の差圧計（図示しない）により、所定値以上の差圧（例えば、４ｋＰａ以上）が検出された場合に、又は、所定の時間間隔で、振動機構の駆動を制御して疎水性のフィルタ１４を振動させる。これにより、脱臭装置１は、フィルタ１４の目詰まりを予防し、良好な脱臭効率を維持することができる。なお、制御部は、臭気センサ１９により測定された排気管６から排気される脱臭空気の臭気強度が所定値以上となった場合に振動機構を駆動させてもよい。これにより、脱臭装置１から排出される臭気強度が常に所定値以下になるように制御することができる。
【００３７】
［臭気センサ１９の測定値に基づくフィードバック制御］
脱臭装置１は、制御部により臭気センサ１９の測定値に基づいて霧化部３での霧化量を制御する。具体的には、制御部は、臭気センサ１９が検出した排気管６から排気される脱臭空気の臭気強度が所定値以上になった場合に、霧化部３を制御して、霧化量を増やす。ここでいう、所定値とは、脱臭装置１が脱臭対象とする臭気発生源に関して法令等に規定された基準値等に基づいて、適宜決定することができる値である。或いは、制御部は、臭気センサ１９が検出した臭気ガス導入部２から導入される臭気ガスの臭気強度が一定以上変動した場合に、霧化部３を制御して、霧化量を増減させる。このようにして、脱臭装置１は、脱臭対象の臭気ガスの臭気強度の変動及び脱臭処理した脱臭空気の臭気強度の変動に適応して脱臭処理を実施することができる。
【００３８】
以上、一例を用いて本発明の脱臭装置について説明したが、本発明の脱臭装置は、上記一例に限定されることはなく、本発明の脱臭装置には、適宜変更を加えることができる。
【産業上の利用可能性】
【００３９】
本発明の脱臭装置によれば、ミスト回収時の消費エネルギーを低減すると共に、コンパクトな装置構成で、効率的にナノミストを回収することができる。
【符号の説明】
【００４０】
１                脱臭装置
２                臭気ガス導入部
３                霧化部
４                接触部
５                ナノミスト回収部
６                排気管
７                原臭ブロワー
８                プラス電極
９                マイナス電極
１０              第１霧化用液供給ポンプ
１１              霧化液貯留槽
１２              第２霧化用液供給ポンプ
１３              逆流ブロワー
１４              フィルタ
１５              回収水貯留槽
１６              オゾン分解槽
１７              排水管
１８              排水ポンプ
１９              臭気センサ
２０              第１霧化用水供給管
２１              第２霧化用水供給管
【図１】
2014188512.tif 000003